【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
プログラミング可能な複数のマイクロデバイスをプログラミングするためのプログラミング装置であって、
プログラミングのための信号を生成するプロセッサ（１２）と、
前記プロセッサ（１２）から前記信号を受け、前記複数のマイクロデバイスのために前記信号を分配するとともにプログラミングのための供給電圧を出力するピンドライバモジュール（１４）と、
前記プロセッサの制御の下、前記供給電圧を前記複数のマイクロデバイスの各々に送るための適切な構成が設定されるバックプレーンモジュール（１６）と、
前記バックプレーンモジュール（１６）に結合され、前記複数のマイクロデバイスを置くための複数のソケット（２０Ａ〜２０Ｄ）とを備える、プログラミング装置。
【請求項２】
前記信号は、
アドレス信号、データ信号および制御信号を含み、
前記ピンドライバモジュール（１４）は、
前記アドレス信号、前記データ信号および前記制御信号を分配して前記バックプレーンモジュール（１６）に送る論理回路（２６）と、
前記供給電圧を前記バックプレーンモジュール（１６）に与える電圧源回路（２８）とを含む、請求項１に記載のプログラミング装置。
【請求項３】
前記論理回路（２６）は、フィールドプログラマブルゲートアレイを含む、請求項２に記載のプログラミング装置。
【請求項４】
前記電圧源回路（２８）は、デジタル−アナログ変換器を含む、請求項２に記載のプログラミング装置。
【請求項５】
プログラミングのための前記供給電圧は、Ｖｃｃ電圧を含む、請求項２に記載のプログラミング装置。
【請求項６】
プログラミングのための前記供給電圧は、Ｖｐｐ電圧を含む、請求項２に記載のプログ
ラミング装置。
【請求項７】
前記バックプレーンモジュール（１６）上に位置する交換可能なソケットアダプタ（１８）をさらに備え、
前記複数のソケット（２０Ａ〜２０Ｄ）は、前記交換可能なソケットアダプタに装着される、請求項１に記載のプログラミング装置。
【請求項８】
プログラミング可能なマイクロデバイスをプログラミングするプログラミング装置のためのバッファ回路であって、
プロセッサ（１２）から制御データ信号を受取り、第１の可変ＤＣ電圧を生成するデジタル−アナログ変換器（６２）と、
前記第１の可変ＤＣ電圧に基づいて第２の可変ＤＣ電圧（Ｖｃｃ２）を出力する増幅器（６４）と、
定電圧源から第１の定電圧（Ｖｃｃ１）を受け、前記増幅器（６４）から前記第２の可変電圧（Ｖｃｃ２）を受けるレベルシフト変換バッファ（６８）とを備え、前記レベルシフト変換バッファ（６８）は、前記第１の定電圧（Ｖｃｃ１）を前記プロセッサ（１２）からのプログラミングデータのインターフェイスのために用い、前記第２の可変ＤＣ電圧（Ｖｃｃ２）を前記マイクロデバイスへと出ていくバスのために用いる、バッファ回路。
【請求項９】
前記デジタル−アナログ変換器（６２）は、電圧基準をさらに受け、
前記第１の可変ＤＣ電圧はゼロボルトと前記電圧基準との間の値を有する、請求項８に記載のバッファ回路。
【請求項１０】
前記増幅器（６４）は、演算増幅器（８２）を含む、請求項８に記載のバッファ回路。
【請求項１１】
第１の可変ＤＣ電圧を生成するステップと、
前記第１の可変ＤＣ電圧を使用して、第２の可変ＤＣ電圧を生成するステップと、
第１の一定ＤＣ電圧を使用して、プログラミングデータをプロセッサからマイクロデバイスにインターフェイスさせるステップと、
前記第２の可変ＤＣ電圧を使用して、前記マイクロデバイスに接続されたバスを制御するステップを備える、方法。
【請求項１２】
前記生成するステップは、前記第１の可変ＤＣ電圧が生成されることを引き起こすプロセッサからの制御データを受けるＤ／Ａコンバータを使用することで実行される、請求項１１に記載の方法。
【請求項１３】
前記第１の可変ＤＣ電圧の使用は、前記第１の可変ＤＣ電圧に基づいて前記第２の可変ＤＣ電圧を生成する増幅器によって行なわれる、請求項１１に記載の方法。
【請求項１４】
前記第１の一定ＤＣ電圧の使用および前記第２の可変ＤＣ電圧の使用はレベルシフト変換バッファによって行なわれる、請求項１１に記載の方法。
【請求項１５】
デジタル−アナログ変換器で、プロセッサから制御データ信号を受けるステップと、
前記デジタル−アナログ変換器を使用して、前記制御データ信号から第１の可変ＤＣ電圧を生成するステップと、
増幅器を使用して、前記第１の可変ＤＣ電圧から第２の可変ＤＣ電圧を生成するステップと、
前記第２の可変ＤＣ電圧を、マイクロデバイスに接続されたバスを制御するレベルシフト変換バッファに入力するステップと、
一定電圧を、プロセッサからのプログラミングデータを適切な電圧レベルにインターフ
ェイスするレベルシフト変換バッファに入力するステップと、
前記プロセッサから前記マイクロデバイスにプログラミングデータを転送するために、前記レベルシフト変換バッファを使用するステップとを備える、方法。
【請求項１６】
ピンドライバモジュールをバックプレーンモジュールに結合するステップを備え、前記ピンドライバモジュールは、アドレス、データおよび制御信号をプロセッサから前記バックプレーンモジュールに送り、前記バックプレーンモジュールに１またはそれ以上の電圧を出力するように構成され、
前記バックプレーンモジュールを、複数の異なるマイクロデバイスを受けるように構成されたソケットアダプタに結合するステップをさらに備え、前記バックプレーンモジュールは、前記プロセッサによって、複数の異なるマイクロデバイスがプログラムされることが可能に構成される、方法。
【請求項１７】
前記ピンドライバモジュールは、前記バックプレーンモジュールにアドレス、データおよび制御信号を送るための論理回路と、前記バックプレーンモジュールに電圧を与える電圧源回路とを含む、請求項１６に記載の方法。
【請求項１８】
前記論理回路は、専用集積回路またはフィールドプログラマブルゲートアレイを備える、請求項１７に記載の方法。
【請求項１９】
前記電圧源回路は、デジタル−アナログ変換器および校正回路を備える、請求項１７に記載の方法。
【請求項２０】
前記バックプレーンモジュールは、複数のリレースイッチ回路と、複数のバッファ回路とを備える、請求項１６に記載の方法。
【請求項２１】
電源電圧および接地電圧が複数のマイクロデバイスの少なくともいくつかおよび対応するソケットに送られるように、プロセッサで、リレー構成を構成するステップと、
電圧源回路にデータ／制御バスを介して書き込み、プログラムされるべきマイクロデバイスの各々のために適切な電圧レベルを設定するために、前記プロセッサを使用するステップと、
アドレスバスからのアドレスおよびデータ／制御バスからのデータを、直接に、各々のソケットの中でプログラムされる各々のマイクロデバイスに与えるために、論理回路を使用するステップとを備える、方法。
【請求項２２】
前記リレー構成を構成するステップは、論理回路を介して、複数のリレースイッチ回路のための複数の制御信号を発生するステップを備える、請求項２１に記載の方法。
【請求項２３】
前記論理回路は、各々のマイクロデバイスについての各々のバスを、プログラムされるべきマイクロデバイスのサイズに一致するように、サイズ決めすることが可能である、請求項２１に記載の方法。
【請求項２４】
前記電圧レベルは、各々のマイクロデバイスの電源電圧、プログラミング電源電圧、およびプログラム中に各々のマイクロデバイスを駆動するのに使用される信号の電圧を含む、請求項２１に記載の方法。
【手続補正２】
【補正対象書類名】明細書
【補正対象項目名】発明の名称
【補正方法】変更
【補正の内容】
【発明の名称】プログラミング装置、バッファ回路および方法